(57)【要約】  ナビゲーション装置を動作させる方法は、ナビゲーション装置において、移動ルートに沿っての移動指示が距離の閾値を越える距離に対して出力される予定でない場合と、移動ルートに沿っての移動指示が時間の閾値を越える時間に対して出力されない場合とのうち少なくとも１つをナビゲーション装置において判定するステップと、判定が行われたのに応じて、ナビゲーション装置を省電力モードにするステップとを含む。ナビゲーション装置は、移動ルートに沿っての移動指示が距離の閾値を越える距離に対して出力される予定でない場合と、移動ルートに沿っての移動指示が時間の閾値を越える時間に対して出力されない場合とのうち少なくとも１つを判定するプロセッサを含み、プロセッサは、判定が行われたのに応じて、ナビゲーション装置を省電力モードにする。【選択図】図５
2010515898.tif 000002
【特許請求の範囲】
【請求項１】
ナビゲーション装置を動作させる方法であって、
来るべきナビゲーション指示の距離もしくは時間において、現在の装置の位置と現在の時間からの相対的な離れを判定するステップと、
前記離れが距離もしくは時間の閾値を越えるか否かを判定するステップと、
肯定的な判定が行われたのに応じて、ナビゲーション装置を省電力モードにするステップと
を備える方法。
【請求項２】
前記ナビゲーション装置を省電力モードにするステップは、前記ナビゲーション装置の一体型入力表示装置のバックライトを少なくとも比較的薄暗くするステップを含む、請求項１に記載の方法。
【請求項３】
前記少なくとも比較的薄暗くするステップは、前記バックライトをオフにするステップを含む、請求項２に記載の方法。
【請求項４】
前記ナビゲーション装置を前記省電力モードから復帰するステップをさらに備え、
前記省電力モードから復帰するステップは、
警告が前記ナビゲーション装置の一体型入力表示装置に出力されることを判定するステップと、
前記来るべき指示が、第２の閾値より小さい前記現在の装置の位置からの距離と、第２の時間の閾値より小さい将来の時間とのうち少なくとも１つの範囲内で、前記ナビゲーション装置の一体型入力表示装置に出力されることを判定するステップと、
前記ナビゲーション装置の前記一体型入力表示装置上の接触指示を判定するステップと、
入力信号の受信を判定するステップとの少なくとも１つに応じて、
前記ナビゲーション装置を前記省電力モードから復帰する、請求項１乃至３のいずれか１項に記載の方法。
【請求項５】
前記入力信号は、入力メッセージ信号と入力通話信号とのうち少なくとも１つを含む、請求項４に記載の方法。
【請求項６】
前記ナビゲーション装置を省電力モードから復帰するステップは、前記一体型入力表示装置の前記バックライトを比較的明るくするステップを含む、請求項４または５に記載の方法。
【請求項７】
前記ナビゲーション装置のユーザに対して複数の選択可能な省電力モードのオプションを表示するステップをさらに備え、
前記ナビゲーション装置は、前記判定が行われたのに応じて、前記選択された省電力モードにされる、請求項１乃至６のいずれか１項に記載の方法。
【請求項８】
前記ナビゲーション装置を省電力モードにすることに応じて、前記ナビゲーション装置のユーザに対してフィードバックを提供するステップをさらに備える、請求項１乃至７のいずれか１項に記載の方法。
【請求項９】
前記フィードバックは、視覚的と可聴式とのうち少なくとも１つである、請求項８に記載の方法。
【請求項１０】
前記フィードバックは、前記ナビゲーション装置の一体型入力表示装置上での明滅するＬＥＤと、周期的に出力される可聴式のメッセージとのうち少なくとも１つを含む、請求項８または９に記載の方法。
【請求項１１】
前記ナビゲーション装置を前記省電力モードにするステップは、一時停止するステップと前記ナビゲーション装置の一体型入力表示装置の表示の更新を一時的に中止するステップとのうち少なくとも１つを含む、請求項１乃至１０のいずれか１項に記載の方法。
【請求項１２】
省電力モードに入るときに確認を要求し、ユーザ確認後のみに発生する省電力モードに入ることを示す情報をユーザに出力するステップをさらに含む、請求項１乃至１１のいずれか１項に記載の方法。
【請求項１３】
コンピュータ上で実行される場合に、請求項１乃至１２のいずれか１項に記載の全てのステップを実行するように構成されたコンピュータプログラムコード手段を含む、コンピュータプログラム。
【請求項１４】
コンピュータ読み取り可能な媒体上または内で具体化される場合に、請求項１３に記載されたコンピュータプログラム。
【請求項１５】
請求項１乃至１２のいずれか１項に記載の方法を実行するために構成されたナビゲーション装置であって、
来るべきナビゲーション指示の距離もしくは時間において、現在の装置の位置と現在の時間からの相対的な離れを判定し、前記離れが距離もしくは時間の閾値を越えるか否かを判定するプロセッサを備え、前記プロセッサは、肯定的な判定が行われたのに応じて、その後に、前記装置を省電力モードにするナビゲーション装置。
【請求項１６】
前記装置が省電力モードに入った場合に、比較的薄暗くされ、前記装置が省電力モードから復帰した場合に、比較的明るくされるバックライトを有するディスプレイをさらに備える、請求項１５に記載のナビゲーション装置。
【請求項１７】
前記ディスプレイは、一体型入力表示装置である、請求項１６に記載のナビゲーション装置。
【請求項１８】
前記ディスプレイから別とされ、前記装置が省電力モードにおいて動作する前記時間の間に断続的に発生する、前記装置から可聴式に出力するための手段を提供する出力装置をさらに含む、請求項１５乃至１７のいずれか１項に記載のナビゲーション装置。
【請求項１９】
前記装置が省電力モードにある場合、前記プロセッサにより断続的に明るくされることが可能な明滅するＬＥＤをさらに含む、請求項１５乃至１８のいずれか１項に記載のナビゲーション装置。
【発明の詳細な説明】
【技術分野】
【０００１】
本発明は、ナビゲーション方法、及び、装置に関する。
【背景技術】
【０００２】
ナビゲーション装置は、伝統的に輸送手段の分野において主に活用されてきた。輸送手段とは、例えば、車や、自動二輪、トラック、ボート等である。代わりに、もし、そのようなナビゲーション装置が携帯可能であれば、例えば、徒歩での移動において、輸送手段間で、より移転可能であるか、及び／又は、輸送手段の外部でより使用可能であろう。これらの装置は、主として、ナビゲーション装置の最初の位置と選択されて入力された行程の目的地（終端位置）とに基づいて、行程のルートを生成するように作られている。留意すべきには、最初の位置は装置に入力されることができるが、伝統的にはナビゲーション装置内のＧＰＳ受信機からのＧＰＳの位置決めにより計算される。
【発明の概要】
【０００３】
発明者は、そのようなナビゲーション装置が使用中に車の充電器に接続されるが、多くの人々は、ナビゲーション装置に電源を供給する内部バッテリに頼り、そのような接続なしで装置を用いる（車の中でさえ）傾向があることを発見した。さらに、多くのナビゲーション装置は携帯可能であり、徒歩でのナビゲーション用に用いられるような装置は、外部電源を含まず、内部バッテリの電源に頼らなくてはならない。本願の発明者は、さらに、そのような装置が携帯可能であると宣伝されて以来、増大するバッテリサイズおよびバッテリパワーと、携帯可能なナビゲーション装置の増大する全体の重さ（バッテリサイズが増大した場合に発生する傾向がある）との間の衝突する利害関係があることを発見した。
【０００４】
従って、本願の発明者は、ナビゲーション装置の使用中にバッテリ電源を省電力化する方法を開発した。それにより、バッテリのサイズ／重さを増大させることなしにバッテリ寿命を増大させることができる。
【０００５】
本願の少なくとも１つの実施形態において、方法は、移動ルートに沿っての移動指示が距離の閾値を越える距離に対して出力される予定でない場合と、移動ルートに沿っての移動指示が時間の閾値を越える時間に対して出力されない場合とのうち少なくとも１つをナビゲーション装置において判定するステップと、判定が行われたのに応じて、ナビゲーション装置を省電力モードにするステップとを含む。
【０００６】
本願の少なくとも１つの実施形態において、ナビゲーション装置は、移動ルートに沿っての移動指示が距離の閾値を越える距離に対して出力される予定でない場合と、移動ルートに沿っての移動指示が時間の閾値を越える時間に対して出力されない場合とのうち少なくとも１つを判定するプロセッサを含み、プロセッサは、判定が行われたのに応じて、ナビゲーション装置を省電力モードにする。
【図面の簡単な説明】
【０００７】
【図１】全地球測位システム（ＧＰＳ）の一例を示す図である。
【図２】本願の実施形態におけるナビゲーション装置の電子構成要素の一例を示すブロック図である。
【図３】本願の実施形態におけるサーバ、ナビゲーション装置、それらの間の接続の一例を示すブロック図である。
【図４Ａ】、
【図４Ｂ】実施形態のナビゲーションデバイス２００の実装した様子を示す図である。
【図５】本願の実施形態におけるフローチャートの一例を示す図である。
【図６】本願の実施形態におけるプリファレンス・プロンプトの一例を示す図である。
【発明を実施するための形態】
【０００８】
ここで用いられる専門用語は、特定の実施形態のみを記述することを目的とするものであり、本願発明を限定するものではない。ここで用いられるように、単数形の「ａ」「ａｎ」「ｔｈｅ」は、文脈が明確に指示していない限り、複数形を含む。さらに理解されるであろうことには、「含む」と「含んでいる」の少なくともいずれかは、本明細書で用いられる場合には、述べられた特徴、整数、工程、動作、要素、構成要素の少なくともいずれかの存在を特定する。しかしながら、１つ以上の他の特徴、整数、工程、動作、要素、構成要素、それらのグループの存在若しくは追加を排除するものではない。
【０００９】
図面に図示された実施例を記述するにおいて、特定の専門用語は、明りょうの目的で用いられる。しかしながら、本発明の明細書の開示は、選択された特定の専門用語に限定されるものではなく、各特定の要素は、類似の方法によって動作する技術的な相等物全てを含むと理解されるべきである。
【００１０】
図面を参照しながら、本発明の特許出願が以下説明される中で、類似の参照番号が、幾つかの図を通して、同一若しくは対応する部分を指定している。類似の番号は類似の要素を参照する。以下、用いられるように、「及び／又は」のという用語は、関連して羅列された１つ以上の組み合わせを含む。
【００１１】
図１は、ナビゲーション装置により使用可能で、本願の実施形態のナビゲーション装置を含む全地球測位システム（ＧＰＳ）の一例を示す図である。そのようなシステムは周知であり、種々の目的に使用される。一般に、ＧＰＳは、連続的な位置、速度、時間及びいくつかの例においては方向情報を無数のユーザに対して判定できる衛星無線ナビゲーションシステムである。
【００１２】
以前はＮＡＶＳＴＡＲとして周知であったＧＰＳは、極めて正確な軌道で地球と共に動作する複数の衛星を使用する。これらの正確な軌道に基づいて、ＧＰＳ衛星は、それらの場所を任意の数の受信装置に中継できる。
【００１３】
ＧＰＳデータを受信する能力を特別に備える装置がＧＰＳ衛星信号に対する無線周波数の走査を開始する場合、ＧＰＳシステムは実現される。ＧＰＳ衛星から無線信号を受信すると、装置は、複数の異なる従来の方法のうちの１つを用いて、その衛星の正確な場所を判定する。殆どの例において、装置は、少なくとも３つの異なる衛星信号を取得するまで信号の走査を継続する（尚、位置は、通常は２つの信号のみでは判定されないが、他の三角測量技術を使用して２つの信号から判定することもできる）。幾何学的三角測量を実現する場合、受信機は、３つの既知の位置を利用して、衛星に対する自身の２次元位置を判定する。これは、周知の方法で行われる。更に、第４の衛星信号を取得することにより、受信装置は、同一の幾何学計算によって周知の方法でその３次元位置を計算できる。位置及び速度データは、無数のユーザにより連続的にリアルタイムで更新可能である。
【００１４】
図１に示すように、ＧＰＳシステム全体を参照番号１００で示す。複数の衛星１２０は、地球１２４の周囲の軌道上にある。各衛星１２０の軌道は、他の衛星１２０の軌道と必ずしも同期せず、実際には非同期であることが多い。ＧＰＳ受信機１４０は、本願のナビゲーション装置の実施形態において使用可能で、種々の衛星１２０からスペクトル拡散ＧＰＳ衛星信号１６０を受信するように示される。
【００１５】
各衛星１２０から連続的に送信されるスペクトル拡散信号１６０は、極めて正確な原子時計を用いて達成される非常に正確な周波数標準を利用する。各衛星１２０は、そのデータ信号送信１６０の一部として、その特定の衛星１２０を示すデータストリームを送信する。一般に、ＧＰＳ受信機１４０が、ＧＰＳ受信機１４０に対する少なくとも３つの衛星１２０からスペクトル拡散ＧＰＳ衛星信号１６０を取得し、三角測量によりその２次元位置を計算することが当業者には理解される。更なる信号を取得すると、全部で４つの衛星１２０から信号１６０を取得する結果となり、これによってＧＰＳ受信機１４０は、その３次元位置を周知の方法で計算できる。
【００１６】
図２は、本願の実施形態のナビゲーション装置２００の電子構成要素の一例をブロック構成要素の形式で示すブロック図である。尚、ナビゲーション装置２００のブロック図は、ナビゲーション装置の全ての構成要素を含むものではなく、構成要素の多くの例を表すにすぎない。
【００１７】
ナビゲーション装置２００は、筐体（不図示）内に位置付けられる。筐体は、入力装置２２０及び表示画面２４０に接続されるプロセッサ２１０を含む。入力装置２２０は、キーボード装置、音声入力装置、タッチパネル及び／又は情報を入力するために利用される他の任意の周知の入力装置を含むことができ、表示画面２４０は、例えばＬＣＤディスプレイ等の任意の種類の表示画面を含むことができる。本願の実施形態の少なくとも１つの実施形態において、入力装置２２０及び表示画面２４０は、タッチパッド又はタッチスクリーン入力を含む一体型入力表示装置に一体化され、その場合、ユーザは、複数の表示選択肢のうちの１つを選択するか又は複数の仮想ボタンのうちの１つを操作するために、表示画面２４０の一部分に接触するだけでよい。
【００１８】
更に、他の種類の出力装置２５０は可聴出力装置を含むことができるが、これに限定されない。出力装置２４１がナビゲーション装置２００のユーザに対して可聴情報を生成できるため、同様に、入力装置２４０は入力音声コマンドを受信するマイク及びソフトウェアを更に含むことができると理解される。
【００１９】
ナビゲーション装置２００において、プロセッサ２１０は、接続２２５を介して入力装置２４０に動作可能に接続され且つ入力装置２４０から入力情報を受信するように設定される。また、プロセッサ２１０は、情報を出力するために、表示画面２４０及び出力装置２４１のうちの少なくとも一方に出力接続２４５を介して動作可能に接続される。更に、プロセッサ２１０は、接続２３５を介してメモリ２３０に動作可能に接続され、接続２７５を介して入出力（Ｉ／Ｏ）ポート２７０との間で情報を送受信するように更に構成される。この場合、Ｉ／Ｏポート２７０は、ナビゲーション装置２００の外部のＩ／Ｏ装置２８０に接続可能である。外部Ｉ／Ｏ装置２７０は、例えばイヤホン等の外部聴音装置を含んでもよいが、これに限定されない。更に、Ｉ／Ｏ装置２８０への接続は、例えばハンズフリー動作及び／又は音声起動動作のため、イヤホン又はヘッドフォンへの接続のため、並びに／あるいは例えば移動電話への接続のためのカーステレオユニット等の他の任意の外部装置への有線接続又は無線接続となる。この場合、移動電話接続は、ナビゲーション装置２００とインターネット又は例えば他の任意のネットワークとの間のデータ接続を確立するため及び／又はインターネット又は例えば他の任意のネットワークを介するサーバへの接続を確立するために使用されてもよい。
【００２０】
ナビゲーション装置２００は、少なくとも１つの実施形態において、デジタル接続（例えば、周知のBluetooth技術を介するデジタル接続）を確立する移動装置４００（移動電話、ＰＤＡ及び／又は移動電話技術を用いる任意の装置等）を介して、サーバ３０２との「モバイル」ネットワーク接続を確立してもよい。従って、そのネットワークサービスプロバイダを介して、移動装置４００は、サーバ３０２とのネットワーク接続を（例えば、インターネットを介して）確立できる。そのため、「モバイル」ネットワーク接続は、情報に対する「リアルタイム」又は少なくとも非常に「最新」のゲートウェイを提供するために、ナビゲーション装置２００（単体で及び／又は車載走行時に移動可能であり且つ多くの場合移動している）とサーバ３０２との間に確立される。
【００２１】
例えばインターネット４１０を使用して、移動装置４００（サービスプロバイダを介する）とサーバ３０２等の別の装置との間にネットワーク接続を確立することは、周知の方法で行われる。これは、例えばＴＣＰ／ＩＰ階層プロトコルの使用を含む。移動装置４００は、ＣＤＭＡ、ＧＳＭ、ＷＡＮ等の任意の数の通信規格を利用できる。
【００２２】
そのため、例えば移動電話又はナビゲーション装置２００内の移動電話技術を介するデータ接続を介して達成されるインターネット接続が利用されてもよい。この接続の場合、サーバ３０２とナビゲーション装置２００との間のインターネット接続が確立される。これは、例えば、移動電話又は他の移動装置及びＧＰＲＳ（汎用パケット無線サービス）接続（ＧＰＲＳ接続は、通信会社により提供される移動装置用高速データ接続であり、ＧＰＲＳはインターネットへの接続方法である）を介して行われる。
【００２３】
更に、ナビゲーション装置２００は、移動装置４００とのデータ接続を完成し、例えば既存のBluetooth技術を介して周知の方法でインターネット４１０及びサーバ３０２とのデータ接続を最終的に完成する。この場合、例えばデータプロトコルは、ＧＳＭ規格に対するデータプロトコル規格であるＧＳＲＭ等の任意の数の規格を利用できる。
【００２４】
ナビゲーション装置２００は、ナビゲーション装置２００自体の内部にそれ自体の移動電話技術を含んでもよい（例えばアンテナを含み、その場合、ナビゲーション装置２００の内部アンテナが更に代わりに使用可能である）。ナビゲーション装置２００内の移動電話技術は、上述のような内部構成要素を含むことができ且つ／又は例えば必要な移動電話技術及び／又はアンテナを備える挿入可能なカード（例えばSubscriber Identity Mdule すなわちSIMカード ）を含むことができる。そのため、ナビゲーション装置２００内の移動電話技術は、任意の移動装置４００の方法と同様の方法で、例えばインターネット４１０を介して、ナビゲーション装置２００とサーバ３０２との間にネットワーク接続を同様に確立できる。
【００２５】
ＧＲＰＳ電話設定の場合、多様な移動電話の機種、製造業者等と共に正しく動作するために、Bluetooth対応の装置が使用されてもよく、機種／製造業者専用設定は、例えばナビゲーション装置２００に格納されてもよい。この情報のために格納されたデータは、従前および後続のいずれの実施形態で議論された方法で更新される。
【００２６】
図２は、接続２５５を介するプロセッサ２１０とアンテナ／受信機２５０との間の動作可能な接続を更に示す。この場合、アンテナ／受信機２５０は、例えばＧＰＳアンテナ／受信機であってもよい。参照番号２５０で示されるアンテナ及び受信機は、図示のために概略的に組み合わされるが、アンテナ及び受信機は、別個に位置付けられる構成要素であってもよく、アンテナは、例えばＧＰＳパッチアンテナ又はヘリカルアンテナであってもよいことが理解されるだろう。
【００２７】
更に、図２に示す電子構成要素が従来の方法で電源（不図示）により電力を供給されることが当業者には理解されるだろう。当業者により理解されるように、図２に示す構成要素の異なる構成が本発明の範囲内で考えられる。例えば、一実施形態において、図２に示す構成要素は、有線接続及び／又は無線接続等を介して互いに通信状態にあってもよい。従って、本発明のナビゲーション装置２００の範囲は、ポータブル又はハンドヘルドナビゲーション装置２００を含む。
【００２８】
更に、図２のポータブル又はハンドヘルドナビゲーション装置２００は、例えば自動車又は船舶等の電動車両に周知の方法で接続されるか又は「ドッキング」される。その場合、そのようなナビゲーション装置２００は、ポータブル又はハンドヘルドナビゲーションとして使用するために、ドッキング場所から取り外し可能である。
【００２９】
図３は、本発明の実施形態の汎用通信チャネル３１８を介して通信するサーバ３０２及びナビゲーション装置２００の一例を示すブロック図である。通信チャネル３１８を介する接続が本発明のサーバ３０２とナビゲーション装置２００との間に確立される場合、本願のサーバ３０２及びナビゲーション装置２００は通信可能である（尚、そのような接続は、移動装置を介するデータ接続、インターネットを介するパーソナルコンピュータを介する直接接続等である）。
【００３０】
サーバ３０２は、図示しない他の構成要素に加えて、メモリ３０６に動作可能に接続され且つ有線又は無線接続３１４を介して大容量データ記憶装置３１２に動作可能に更に接続されるプロセッサ３０４を含む。更に、プロセッサ３０４は、通信チャネル３１８を介してナビゲーション装置２００と情報の送受信を行うために、送信機３０８及び受信機３１０に動作可能に接続される。送受信される信号は、データ信号、通信信号及び又は他の伝搬信号を含んでもよい。
【００３１】
送信機３０８及び受信機３１０は、ナビゲーション装置２００の通信設計において使用される通信条件及び通信技術に従って選択又は設計されてもよい。尚、送信機３０８及び受信機３１０の機能は、信号送受信機に組み合わされてもよい。
【００３２】
サーバ３０２は、大容量記憶装置３１２に更に接続される（又は、大容量記憶装置３１２を含む）。尚、大容量記憶装置３１２は、通信リンク３１４を介してサーバ３０２に結合されてもよい。大容量記憶装置３１２は、大量のナビゲーションデータ及び地図情報を含む。また、大容量記憶装置３１２は、サーバ３０２とは別個の装置であってもよく、サーバ３０２に組み込まれてもよい。
【００３３】
ナビゲーション装置２００は、通信チャネル３１８を介してサーバ３０２と通信するように構成され、図２に関して上述したように、プロセッサ、メモリ等を含み、更に、通信チャネル３１８を介して信号及び／又はデータを送出する送信機３２０及び受信する受信機３２２を含む。尚、これらの装置は、サーバ３０２以外の装置と通信するためにも使用される。更に、送信機３２０及び受信機３２２は、ナビゲーション装置２００の通信設計において使用される通信条件及び通信技術に従って選択又は設計され、送信機３２０及び受信機３２２の機能は、単一の送受信機に組み合わされてもよい。
【００３４】
サーバメモリ３０６に格納されるソフトウェアは、プロセッサ３０４に命令を提供し、サーバ３０２がナビゲーション装置２００にサービスを提供できるようにする。サーバ３０２により提供される１つのサービスは、ナビゲーション装置２００からの要求の処理及び大容量データ記憶装置３１２からナビゲーション装置２００へのナビゲーションデータの送信を含む。本願の少なくとも１つの実施形態によると、サーバ３０２により提供される別のサービスは、所望のアプリケーションに対する種々アルゴリズムを使用したナビゲーションデータの処理及びナビゲーション装置２００へのこれらの計算の結果の送出を含む。
【００３５】
一般に、通信チャネル３１８は、ナビゲーション装置２００とサーバ３０２とを接続する伝搬媒体又はパスを表す。本願の少なくとも１つの実施形態によると、サーバ３０２及びナビゲーション装置２００の双方は、通信チャネルを介してデータを送信する送信機及び通信チャネルを介して送信されたデータを受信する受信機を含む。
【００３６】
通信チャネル３１８は、特定の通信技術に限定されない。更に、通信チャネル３１８は、単一の通信技術に限定されない。すなわち、チャネル３１８は、種々の技術を使用する複数の通信リンクを含んでもよい。例えば、少なくとも１つの実施形態によると、通信チャネル３１８は、電気通信、光通信及び／又は電磁通信等のためのパスを提供するように構成される。そのため、通信チャネル３１８は、電気回路、ワイヤ及び同軸ケーブル等の電気導体、光ファイバケーブル、コンバータ、無線周波数（ｒｆ）波、大気、空間等のうちの１つ又はそれらの組み合わせを含むが、それらに限定されない。更に、少なくとも１つの多様な実施形態によると、通信チャネル３１８は、例えば、ルータ、中継器、バッファ、送信機及び受信機等の中間装置を含むことができる。
【００３７】
例えば、本願の少なくとも１つの実施形態において、通信チャネル３１８は、電話及びコンピュータネットワークを含む。更に、少なくとも１つの実施形態において、通信チャネル３１８は、無線周波数、マイクロ波周波数、赤外線通信等の無線通信に適応できてもよい。更に、少なくとも１つの実施形態において、通信チャネル３１８は衛星通信に適応できる。
【００３８】
通信チャネル３１８を介して送信される通信信号は、所定の通信技術に必要とされるか又は望まれる信号を含むが、それらに限定されない。例えば、信号は、時分割多元接続（ＴＤＭＡ）、周波数分割多元接続（ＦＤＭＡ）、符号分割多元接続（ＣＤＭＡ）、Global System for Mobile Communications（ＧＳＭ）等のセルラ通信技術において使用されるように構成されてもよい。デジタル信号及びアナログ信号の双方が通信チャネル３１８を介して送信できる。少なくとも１つの実施形態において、これらの信号は、通信技術にとって望ましい変調信号、暗号化信号及び／又は圧縮信号であってもよい。
【００３９】
大容量記憶装置３１２は、所望のナビゲーションアプリケーションのための十分なメモリを含む。大容量記憶装置３１２の例として、ハードドライブのような磁気データ記憶媒体、ＣＤ−ＲＯＭのような光学記憶媒体、フラッシュメモリのようなチャージされたデータ記憶媒体、モルキュラ（molecular）メモリ等を含んでもよい。
【００４０】
本願の少なくとも１つの実施形態によると、サーバ３０２は、無線チャネルを介してナビゲーション装置２００によりアクセス可能なリモートサーバを含む。本願の少なくとも１つの実施形態によると、サーバ３０２は、ローカルエリアネットワーク（ＬＡＮ）、ワイドエリアネットワーク（ＷＡＮ）、仮想プライベートネットワーク（ＶＰＮ）等に位置付けられるネットワークサーバを含んでもよい。
【００４１】
本願の少なくとも１つの実施形態によると、サーバ３０２は、デスクトップ又はラップトップコンピュータ等のパーソナルコンピュータを含んでもよく、通信チャネル３１８は、パーソナルコンピュータとナビゲーション装置２００との間に接続されるケーブルであってもよい。あるいは、パーソナルコンピュータは、ナビゲーション装置２００とサーバ３０２との間に接続されて、サーバ３０２とナビゲーション装置２００との間にインターネット接続を確立してもよい。あるいは、インターネットを介してナビゲーション装置２００をサーバ３０２に接続するために、移動電話又は他のハンドヘルド装置がインターネットへの無線接続を確立してもよい。
【００４２】
ナビゲーション装置２００は、情報ダウンロードを介してサーバ３０２から情報を受信してもよい。情報は、ユーザがナビゲーション装置２００をサーバ３０２に接続する場合に周期的に更新されてもよく且つ／又は例えば無線移動接続装置及びＴＣＰ／ＩＰ接続を介してサーバ３０２とナビゲーション装置２００との間に接続がより継続して又は頻繁に確立される場合に更に動的に更新されてもよい。多くの動的計算のために、サーバ３０２内のプロセッサ３０４が大量の処理要求を処理するために使用されてもよい。しかし、ナビゲーション装置２００のプロセッサ２１０も同様に、多くの場合においてはサーバ３０２への接続に関係なく、多くの処理及び計算を処理できる。
【００４３】
サーバ３０２に接続された大容量記憶装置３１２は、地図を含むナビゲーション装置２００自身上で保持されるよりも多くの地図作成法やルートデータを含むことができる。サーバ３０２は、例えば、一連の処理アルゴリズムを用いて、ルートに沿って移動するナビゲーション装置２００の大多数の装置を処理するようにしてもよい。更に、メモリ３１２に格納された地図作成法とルートデータは、元々はナビゲーション装置２００によって受信された信号上（例えば、ＧＰＳ信号）で動作できる。
【００４４】
図２に示す様に、本願の実施形態のナビゲーション装置２００はプロセッサ２１０、入力装置２２０、表示画面２４０を有する。少なくとも１つの実施形態において、入力装置２２０及び表示画面２４０は、一体化した入力及び表示様のデバイスに統合する。例えばタッチパネルスクリーンに適応すると、情報（直接入力、メニュー選択など）の入力及び情報の表示の両方を可能にする。タッチ入力ＬＣＤのような画面は当業者には周知のものである。更に、ナビゲーション装置２００は、例えばオーディオ入力／出力装置などの、更なる入力装置２２０及び／又は更なる出力装置２４１を有しても良い。
【００４５】
図４Ａ及び図４Ｂは、ナビゲーション装置２００の実施形態の実施の斜視図を示している。図４Ａに示すように、ナビゲーション装置２００は、一体となった入力及び表示装置２９０（例えばタッチパネル画面）と図２の他の構成要素（内蔵ＧＰＳ受信機２５０、マイクロプロセッサ２１０、電源、メモリシステム２２０などを含むがこれに限定されない）を含むユニットであっても良い。
【００４６】
ナビゲーション装置２００は、アーム２９２上に備え付けられても良い。このアーム２９２は、大きな吸着カップ２９４を用いて、車両のダッシュボード／窓／等に固定されても良い。このアーム２９２は、ナビゲーション装置２００がドッキング可能なドッキングステーションの一例である。
【００４７】
図４Ｂに示すように、ナビゲーション装置２００は、例えば、アーム２９２に対してナビゲーション装置２９２をきちんと接続することで、ドッキングステーションのアーム２９２にドッキング若しくは接続することができる（これは単なる一例で、他に考え得るドッキングステーションへの接続の代替案は、本願の範疇内である）。図４Ｂにおける矢印で示すように、ナビゲーション装置２００は、アーム２９２上で回転可能である。ナビゲーション装置２００とドッキングステーションとの間の接続を解除するためには、例えば、ナビゲーションデバイス２００上のボタンを押下すればよい（これは単なる一例で、他に考え得るドッキングステーションからの分離の代替案は、本願の範疇内である）。
【００４８】
本願の１つの実施形態は、ナビゲーション装置において、移動ルートに沿っての移動指示が距離の閾値を越える距離に対して出力される予定でない場合と、移動ルートに沿っての移動指示が時間の閾値を越える時間に対して出力されないときのうち少なくとも１つを判定するステップと、決定が行われるとナビゲーション装置を省電力モードにするステップとを含む方法に向けられている。
【００４９】
少なくとも１つの他の実施形態において、本願は、移動ルートに沿っての移動指示が距離の閾値を越える距離に対して出力される予定でない場合と、移動ルートに沿っての移動指示が時間の閾値を越える時間に対して出力されない場合とのうち少なくとも１つを判定するプロセッサを含み、プロセッサは、判定が行われるとナビゲーション装置を省電力モードにするナビゲーション装置に向けられている。
【００５０】
ナビゲーション装置の図２、３、４Ａ、４Ｂの上述の部品の全ては、バッテリ等の内部電源や外部電源への接続を介する（例えば、車のバッテリや家のコンセント）ことによって電源が供給されることができる。この外部への接続は、ナビゲーション装置２００と車のコンセント（車のバッテリから電力を供給するため）との間の直接のケーブルや他の接続であってもよいし、及び／又は、例えば、図４Ｂに示されるように、ナビゲーション装置２００にドッキングステーション２９２を接続して、ドッキングステーション２９２と車のコンセントとの間のケーブルや他の接続であってもよい。
【００５１】
ナビゲーション装置２００が車のバッテリに接続されていると、車が走っている限り、実際の電源の問題は存在しない（車が走っている間、車のバッテリは再充電され、従って、ナビゲーション装置２００は継続的に電源が供給される）。しかしながら、もし、車が止まった場合、逆に、ナビゲーション装置２００の部品（例えば、図２の）がナビゲーション装置２００の内部バッテリを使い切ってしまう場合、（ナビゲーション装置２００が車の中で車のバッテリに接続されていない場合、もし、ナビゲーション装置２００が徒歩でのナビゲーション用の、及び／又は、ＭＰ３のような他の機能用のハンドヘルドで用いられる場合など）、比較的小さな内部バッテリは、速くに電源を使い切ってしまうことができる。そのような内部バッテリは、例えば、通常の使い方でおよそ２時間もつことができ、そして、本願の実施形態の省電力の際には、およそ３時間もつであろう。
【００５２】
例えば、ナビゲーション装置が車の中にある場合に、車のコンセントへ接続されることができるが、コンセントは他の装置用に用いられる場合が多く、及び／又は、ナビゲーション装置２００（もしくは、ドッキングステーション２９２）と車のコンセントとの間の接続は、ユーザの視野に吊り下げられた、もしくは、車のステアリングホイールを横切るケーブルを伴うことができる。従って、どのような理由にしろ、ナビゲーション装置２００（もしくは、ドッキングステーション２９２）と車のコンセントとの間が接続されない場合が多い。従って、多くの場合、ナビゲーション装置２００は、車の中で使用されるときでさえ、その内部バッテリ電源で動作する。従って、本願の発明者は、バッテリ電源を省電力化する方法を開発した。しかしながら、省電力化は、ナビゲーション装置２００が内部電源もしくは外部の車のバッテリ電源で動作するかに関わらず、達成されることができる。その省電力の効果は、ナビゲーション装置２００が内部バッテリ電源で動作する場合により大きいかもしれない。
【００５３】
図５は、本願の方法の１つの実施形態を示す図である。理解されるべきこととして、この方法は、ナビゲーション装置２００が内部のバッテリ電源を用いて動作するときに用いられることができ、そして、方法は、車と徒歩、つまり、「足での移動」のナビゲーションに等しく適応する。さらに、再び述べるが、省電力は、ナビゲーション装置２００が内部バッテリ電源もしくは外部の車のバッテリ電源で動作するかに関わらず、達成されることができる。省電力の効果は、ナビゲーション装置２００が内部バッテリ電源で動作する場合により大きいかもしれない。
【００５４】
図５に示されるように、ステップＳ２において、ナビゲーション装置２００のプロセッサ２１０は、ナビゲーション装置２００がオンであるか否かを最初に判定する。この判定は、ナビゲーション装置２００が内部バッテリ電源で動作するか否かの判定を含むことができる。例えば、外部電源がプロセッサ２１０に信号を送り、内部もしくは外部のバッテリ電源のいずれかが用いられるかの判定を可能としてもよい（ＵＳＢ電源がプロセッサに信号を送るようにしても良い。そのことがｇｐｉｏピンに翻訳し、その後、電源を判定するプロセッサ２１０により使用可能である）。しかしながら、この判定が行われるか否かに関わらず、図５の処理ステップは継続することができる。それは、ナビゲーション装置２００が内部バッテリ電源もしくは外部の車のバッテリ電源で動作するかに関わらず、省電力ステップが達成されるのと同じである。省電力の効果は、ナビゲーション装置２００が内部バッテリ電源で動作する場合に、より容易に認識されるかもしれない。そうでない場合に、処理は、ステップＳ２に戻り、繰り返す。そして、そうである場合に、処理はステップＳ４に進む。
【００５５】
その後、例えばプロセッサ２１０により、移動ルートが計算されたか否かが判定される。移動ルートは、典型的には、ユーザが所望の目的地として入力された目的地の位置と、ナビゲーション装置２００の現在の位置を示し、ナビゲーション装置２００のＧＰＳ受信機２５０において受信されたＧＰＳ信号に基づいて、既知の方法で判定されてもよい。移動の目的地がナビゲーション装置２００に入力されると、聞こえるように、もしくは、一体型入力表示装置等を介して、ナビゲーション装置２００のプロセッサ２１０は、ナビゲーション装置２００のメモリ２３０に格納された地図情報、入力された移動の目的地、ナビゲーション装置の現在位置に基づいて、既知の方法で、移動ルートが計算され、もしくは、判定されることができる。
【００５６】
ルートがステップＳ４において計算されなかった場合に、システムはステップＳ４に戻る。
【００５７】
移動ルートがステップＳ４において計算されると、プロセスはステップＳ６に進み、プロセッサ２１０等により、移動ルートに沿った移動指示が距離の閾値（距離ｘ）を越える距離に対して出力される予定でないか否かが判定される。従って、例えば、閾値は、ナビゲーション装置２００のプロセッサ２１０により確立されることができる。もし、指示（ルートに沿った移動におけるターンや、高速道路に入るための）が例えば１０キロメートル（もしくは他の距離の閾値）より大きい距離に対して出力される予定でない場合、ナビゲーション装置２００は、ステップＳ１０に示されるように、プロセッサ２１０等により省電力モードにされることができる。
【００５８】
指示が出力される予定である場合、ナビゲーション装置２００は、通常の電力動作モードを維持し、ステップＳ８に進む。ステップＳ８において、プロセッサ２１０等により、移動指示が設定された時間の閾値を越える時間に対して出力されたか否かが判定される。言い換えると、最新の指示が出力されたときから経過した時間Ｘということである。再び、この閾値は、他の設定された閾値であってもよい。そして、例えば、１分であることもできる。そのような時間が経過した場合、ナビゲーション装置２００は、プロセッサ２１０等により、ステップＳ１０において省電力モードとされるようにしてもよい。そうでない場合、システムは、ステップＳ６に戻るようにしてもよい。
【００５９】
ステップＳ６とＳ６について、これらのステップは、他の順番で判定されることができる。従って、ステップＳ８においてなされた判定は、ステップＳ６における判定の前になされることができる。逆も同様であり、他の一方に従属しない。
【００６０】
ステップＳ１０においてされたように、省電力モードのナビゲーション装置２００は、ナビゲーション装置２００における電力消費を保護する種々の方法においてなされるようにしてもよい。例えば、ナビゲーション装置２００を省電力モードにするステップは、ナビゲーション装置２００の一体型入力表示装置２９０のバックライトを比較的薄暗くするステップの少なくとも１つを含むことができる。さらには、少なくとも比較的薄暗くするステップは、バックライトを省電力のためにオフにするステップを含むことができる。これらのいずれかが、例えば、ナビゲーション装置２００の内部電源から画面背面から画面へライトを供給する一体型入力表示装置のバックライトへの電源の供給を制御するプロセッサ２１０によって行われることができる。
【００６１】
加えて、又は、代わりに、ｓｄコントローラをオフにするステップやＣＰＵ速度を遅くするステップ等に限定されないステップを含むような、電力消費の他のタイプも含まれることができる。本願の他の代わりの実施形態において、ユーザは、まず、画面（例えば、ナビゲーション装置２００の一体型入力表示装置２９０上）に表示されるか、もしくは、本願の図６に示されるように、省電力モードかバッテリセーブプリファレンスを選択するようにプロンプトされる。そのようなプリファレンスの１つは、画面をオフにすることがないようにすることができ、そのようなプリファレンスの１つは、次の指示が近く（上述の距離の閾値、もしくは、時間の閾値等）でない場合に、画面をオフにすることができる。もしくは、画面を常にオフにすることができる。本文脈において、「画面をオフにする」とは、少なくともナビゲーション装置２００の一体型入力表示装置２９０のバックライトを比較的薄暗くするステップと、バックライトをオフにするステップとのうち、少なくとも１つを意味することができる。
【００６２】
そのようにして、ナビゲーション装置２００の一体型入力表示装置２９０の画面が完全に黒にならないようにし、単に極めて暗くなる。従って、よい条件の下では、ユーザは、ナビゲーション装置２００がまだオンであり動作していることを見ることができるであろう。通常の条件の下では、画面は、オフにされたように見える。さらに、画面のバックライトが比較的薄暗く、もしくは、オフにされたときに、ナビゲーション装置２００は、さらに画面を更新することを止めるようにしてもよい。従って、さらに電力をセーブすることができる。画面は、バックライトがオンにされ、もしくは、比較的薄暗い状態から復帰するとすぐに再び更新されるようにしてもよい。画面の更新は、任意であり、及び／又は、ステップＳ１０においてなされるナビゲーション装置２００を省電力モードにする一部分であることができる。従って、ナビゲーション装置２００を省電力モードにするステップは、一時停止や、一時的にナビゲーション装置の一体型入力表示装置の表示の更新を中止するステップとの少なくとも１つを含んでもよい。図５について前述したように、ナビゲーション装置２００は、ステップＳ１０において省電力モードにされるようにしてもよい。その後、ナビゲーション装置２００は、他の条件が発生したときに省電力モードから復帰するようにしてもよい。例えば、ステップＳ１２において、プロセッサ２１０等により、警告や指示がナビゲーション装置２００の一体型入力表示装置２９０に出力されるように設定されているか否かが判定される。指示の判定は、第２の距離の閾値より小さい距離、及び／又は、第２の時間の閾値より小さい時間との少なくとも１つの範囲内であってもよい。警告か指示のいずれかがステップＳ１２においてプロセッサ２１０により、出力されるように設定されたと判定された場合に、プロセスはステップＳ１８に進み、ナビゲーション装置２００は、例えば、バックライトをオンにする、及び／又は、バックライトの比較的薄暗い状態を除くこと等により、省電力モードから復帰する。
【００６３】
ステップＳ１２において持ち出された質問に対する答えが「いいえ」である場合、プロセスは、ステップＳ１４に進み、プロセッサ２１０等により、ナビゲーション装置２００の一体型入力表示装置２９０にユーザが接触したか否かが判定されるようにしてもよい。例えば、ユーザが一体型入力表示装置２９０上にタップしたか否かが判定されるようにしてもよい。そうであるなら、ナビゲーション装置２００は、ステップＳ１８において省電力モードから復帰し、そうでないなら、プロセスはステップＳ１６に進む。
【００６４】
ステップＳ１６において、プロセッサ２１０等により、入力メッセージ信号や入力通話信号等の入力信号が受信されたか否かが判定される。入力メッセージ信号は、どのようなタイプのメッセージ信号でもよく、例えば、バディ信号やＳＭＳメッセージ、電子メールメッセージ等である。そうであるなら、ナビゲーション装置２００は、ステップＳ１８において省電力モードから復帰し、そうでないなら、プロセスは、ステップＳ１２に戻り、ナビゲーション装置２００がステップＳ１８において省電力モードから復帰すべきための４つの判定のいずれか（２つの判定は、ステップＳ１２においてなされる）が条件を満たすか否かが判定される。
【００６５】
ステップＳ１２、Ｓ１４、Ｓ１６とそこで行われる４つの判定について、それらのステップは、どのような順番でもプロセッサ２１０により判定されることができる。従って、ステップＳ１４において行われる判定は、ステップＳ１２とＳ１６における判定のいずれかの前に行われることができる。ステップＳ１６において行われる判定は、ステップＳ１２とＳ１４における判定のいずれかの前に行われることができる。逆もまた同様であり、いずれも他に依存しない。さらに、ステップＳ１２においてともに議論されたが、警告と指示もプロセッサ２１０により別々に判定されることもできる。簡潔さのためにまとめてグループ化されている。
【００６６】
図６に示されるように、ユーザは、ナビゲーション装置２００を省電力モードに設定することについてのプリファレンスとともに任意にプロンプトされるようにしてもよい。このナビゲーション装置２００は、ユーザにそのようなプリファレンスを提供しないように動作してもよい。そして、例えば、図５のステップＳ６とＳ８のいずれかの条件を満たすとき、省電力モードに入ることができる。しかしながら、ユーザが図６に示されるようなプリファレンスを提供されない場合に、そして、「決して画面をオフにしない」プリファレンスを選択した場合に、図５のステップの処理は、スキップされ、ナビゲーション装置２００は通常モードを維持してもよい。同様に、「常に画面をオフにする」プリファレンスが選択された場合に、画面は、移動地図モードにおいて使用中に、すなわち、移動ルートが計算された後に、常にオフにされてもよい。しかしながら、システムはＳ１２、Ｓ１４、Ｓ１６のステップを任意に利用し、少なくとも短い時間で省電力モードからナビゲーション装置２００を復帰することができる。
【００６７】
従って、図５に示されているように、複数の選択可能な省電力モードのオプションがユーザに表示されることができる。ナビゲーション装置２００は、判定が行われた場合に、選択されたモードにされる。留意すべきこととして、これらのモードは、図６に示され、例えば、バックライトをオフにする、一体型入力表示装置２９０のバックライトを薄暗くすること等を含む省電力モードに限定されない。そして、省電力モードの種々の選択可能な点を含むことができる。
【００６８】
加えて、ユーザは、ナビゲーション装置２００を省電力モードにする際に、フィードバックを備えられるようにしてもよい。例えば、ユーザにとって、通常条件下のナビゲーション装置２００を表示するとき、ナビゲーション装置２００が省電力モードであるか否か、もしくは、ナビゲーション装置２００がオフとされたか否かを判定することは難しい。従って、視覚的、可聴式のフィードバックの少なくとも１つがユーザに提供され、ユーザにナビゲーション装置２００が省電力モードであることを知らせることができる。そのようなフィードバックは、例えば、ナビゲーション装置２００の一体型入力表示装置２９０上の明滅するＬＥＤと、周期的に出力される音声メッセージのうち少なくとも１つを含む。
【００６９】
付加的なパラメータが、ナビゲーション装置２００を省電力モードにするか否かを判定するにおいて利用されることができる。例えば、移動ルートが計算されると、プロセッサは、移動ルートが最小の移動距離や時間を満たすか否かを判定することができる。つまり、移動ルートが、時間の閾値に対する距離を越えるか否かであり、例えば、３マイルや３０分といったことである。そうでない場合に、単に、これは「短い」移動であると判定され、省電力モードは可能とされる必要はない。
【００７０】
加えて、ユーザは、バッテリ電源をセーブするためにプロンプトされてもよい。例えば、ユーザは、次の指示がある距離より大きく、もしくは、ある時間より離れているときに（例えば、５マイル、もしくは、５分）、画面を薄暗くするように要求されるようにしてもよい（つまり、一体型入力表示装置２９０のバックライトをオフにするか、もしくは、比較的薄暗くする）。従って、ユーザは、省電力モードに入るか否かを選択することができる。そのようにして、省電力モードにすることは、判定が行われてユーザにより選択指示の受付に後続したのに応じて発生するのみにしてもよい。選択は、判定が行われる前後とプロンプトに後続するうちの少なくとも１つのときに、プロセッサ２１０等により受信されるようにしてもよい。図５に示す処理の実施は、本願の少なくとも１つの他の実施形態においてナビゲーション装置２９０のプロセッサ２１０により実行されることができる。例えば、少なくとも１つの実施形態において、ナビゲーション装置２００は、ルートに沿っての移動指示が距離の閾値を越える距離に対して出力される予定がない場合と、移動に沿っての移動指示が時間の閾値を越える時間に対して出力されない場合との少なくとも１つを判定するプロセッサ２１０を含み、そのプロセッサ２１０は、ナビゲーション装置２００を、判定が行われたのに応じて、省電力モードとする。
【００７１】
再び、プロセッサ２１０は、単に、ナビゲーション装置２００の一体型入力表示装置２９０のバックライトの比較的薄暗い表示状態をオフにする信号を送信することができる。さらに、プロセッサ２１０は、ステップＳ６とＳ８の様々な条件をモニタすることができ、そして、省電力モードにされると、プロセッサは、図５のステップＳ１２とＳ１４、Ｓ１６の様々な条件をモニタすることができる。従って、プロセッサ２１０は、ナビゲーション装置２００の一体型入力表示装置２９０のバックライトをオフにし、比較的薄暗くし、完全にオフにするうちの少なくとも１つを制御することができる。
【００７２】
さらに、ナビゲーション装置２００は、プロセッサ２１０がナビゲーション装置２００を省電力モードにする際に、ナビゲーション装置２００のユーザに対して、フィードバックを提供する出力装置２４１を含むことができる。フィードバックは、視覚的、可聴式の少なくとも１つであることができ、ナビゲーション装置２００の一体型入力表示装置２９０上で明滅するＬＥＤ、及び／又は、例えば、周期的な音声メッセージ等のためのナビゲーション装置２００のスピーカのような出力装置２４１を介しての出力を含む。
【００７３】
上記の少なくとも１つの実施形態の方法は、（例えばサーバ３０２のプロセッサ３０４、および／または例えばナビゲーション装置２００のプロセッサ２１０のような）プロセッサによって実行された場合には、プロセッサにそれぞれの方法を行わせるような一連の命令を表す搬送波または伝搬信号として実施されたコンピュータデータ信号として実装されてもよい。少なくとも１つの他の実施形態において、上記で提供された少なくとも１つの方法が、プロセッサまたは他のコンピュータデバイスによって実行された場合にはそれぞれの方法を実行するための、例えば前述のメモリデバイスのうちの１つのような、コンピュータ可読媒体またはコンピュータがアクセス可能な媒体上に含まれる一組の命令として上記で実装されてもよい。変形形態において、媒体は、磁気媒体、電子媒体、光学媒体などであってもよい。
【００７４】
さらに、前述の方法のいずれかが、プログラムのかたちで実施されてもよい。プログラムは、コンピュータ可読媒体上に記憶されてもよいし、コンピュータデバイス（プロセッサを含むデバイス）上で実行された場合には前述の方法のうちいずれか１つを実施するように構成される。従って、記憶媒体またはコンピュータ可読媒体は、情報を記憶するように構成され、上記の実施形態のいずれかの方法を実行するため、データ処理機能またはコンピュータデバイスと対話するように構成される。
【００７５】
記憶媒体は、コンピュータデバイスの本体の中に設置された内蔵媒体であってもよいし、あるいは、コンピュータデバイスの本体から分離できるように構成されたリムーバブル媒体であってもよい。内蔵媒体の例には、書き換え可能な不揮発性メモリ、例えばＲＯＭやフラッシュメモリ、およびハードディスクが含まれるがそれらに限定されない。リムーバブル媒体の例には、例えばＣＤ−ＲＯＭやＤＶＤのような光学記憶媒体、例えばＭＯのような光磁気記憶媒体、フロッピー（登録商標）ディスク、カセットテープ、リムーバブルハードディスクを含むがそれらに限定されない磁気記憶媒体、メモリーカードを含むがそれに限定されない内蔵の書き換え可能な不揮発性メモリを備えた媒体、そして、ＲＯＭカセットを含むがそれに限定されない内蔵ＲＯＭを備えた媒体、等が含まれるがそれらに限定されない。さらに、記憶された画像に関する各種の情報、例えば所有権情報が、いかなる他のかたちで記憶されてもよいし、他のやり方で提供されてもよい。
【００７６】
当業者なら本開示を読めば理解するであろうが、ナビゲーション装置２００の電子コンポーネント、および／またはサーバ３０２のコンポーネントは、コンピュータハードウェア回路構成として、またはコンピュータ可読プログラムとして、または両者の組み合わせとして、実施することができる。
【００７７】
本願の実施形態のシステムおよび方法は、本願の教示内容に従って少なくとも１つの方法を実行するため、プロセッサに対して作動するソフトウェアを含む。当業者なら、ソフトウェアプログラムの中にある機能を実行するため、コンピュータを利用したシステムにおいてコンピュータ可読媒体からソフトウェアプログラムが起動されうるやり方を、本開示を読んで把握すれば理解するであろう。当業者であればさらに、本願の方法のうち少なくとも１つを実装して実行するように設計されたソフトウェアプログラムを作成するのに使用されうる各種のプログラミング言語を理解するであろう。
【００７８】
プログラムは、ＪＡＶＡ（登録商標）、Ｓｍａｌｌｔａｌｋ、Ｃ＋＋などを含むがそれらに限定されないオブジェクト指向言語を用いて、オブジェクト指向で構築されてもよいし、プログラムは、ＣＯＢＡＬ、Ｃなどを含むがそれらに限定されない手続き型言語を用いて手続き型指向で構築されてもよい。ソフトウェアコンポーネントは、アプリケーション・プログラム・インタフェース（ＡＰＩ）を含むがそれに限定されない、レポート・プロシージャ・コール（ＲＰＣ）、共通オブジェクト・リクエスト・ブローカー・アーキテクチャ（ＣＯＲＢＡ）、コンポーネント・オブジェクト・モデル（ＣＯＭ）、ディストリビューテッド・コンポーネント・オブジェクト・モデル（ＤＣＯＭ）、ディストリビューテッド・システム・オブジェクト・モデル（ＤＳＯＭ）、および遠隔メソッド呼出し（ＲＭＩ）のようなプロセス間通信技術を含むがそれらには限定されない、当業者にはよく知られているいくつものやり方で通信することができる。しかし、当業者なら本願の開示を読めば理解するであろうが、本願の教示内容は、特定のプログラミング言語または環境に限定されない。
【００７９】
上記のシステム、デバイス、および方法は、精度、プロセッサの速さ、ユーザとナビゲーション装置２００との対話などの容易さを向上させることに関して、例証として記述されたのであって、限定しているのではない。
【００８０】
さらに、本開示および添付の請求項の範囲内で、例示する異なる実施形態の要素および／または機能が、相互に組み合わされたり、および／または相互に代用されたりしてもよい。
【００８１】
さらに、本発明の上述した機能およびその他の例示する機能はいずれも、装置、方法、システム、コンピュータプログラム、およびコンピュータプログラム製品のかたちで実施されてもよい。例えば、上述の方法のうちのいずれも、図面内に図解された方法を行うための構造のいずれかを含むがそれに限定されないシステムまたはデバイスのかたちで実施されてもよい。
【００８２】
例示する実施形態をこのように記述したが、同じことがさまざまに変更されうることが明らかであろう。そのような変更は、本発明の趣旨と範囲からの逸脱とはみなされるべきではなく、当業者には明らかであろうが、そのような変更形態はすべて、以下の請求項の範囲内に含まれることが意図されている。
【図１】
2010515898.tif 000003
【図２】
2010515898.tif 000004
【図３】
2010515898.tif 000005
【図４Ａ】
2010515898.tif 000006
【図４Ｂ】
2010515898.tif 000007
【図５】
2010515898.tif 000008
【図６】
2010515898.tif 000009
【国際調査報告】
2010515898.tif 000010
2010515898.tif 000011